(57)【特許請求の範囲】
【請求項１】
給水を行うための給水部と、該給水部に接続される水路開閉弁と、該水路開閉弁と接続される加熱手段と、該加熱手段と接続される洗浄ノズルユニットを内部に備え、前記洗浄ノズルユニットは、洗浄水をシリンダ内部に導入するための導入口を設けた継手と、基端に流入口と、先端に噴出口と、前記流入口と前記噴出口とを連通する水路を設けたノズルロッドをバネにより収納方向に付勢し、かつ前記シリンダ内に進退可能に装着し、前記シリンダを移動するためのモータと、前記モータの回転を減速する複数の歯車を備えた人体局部洗浄装置において、
前記シリンダの筒状部から下方向に延伸したリブと、前記リブに垂直に形成された前記ノズルの移動軌跡を規制するガイド部と、前記歯車とかみ合い、前記モータの回転運動を平行運動に変換するラックを該ガイド部に設けたことを特徴とする人体局部洗浄装置の洗浄ノズルユニット。
【請求項２】
リブ、ガイド部、ラックは、シリンダに一体成形で設けたことを特徴とする請求項１に記載の人体局部洗浄装置の洗浄ノズルユニット。
【請求項３】
シリンダのノズルロッドの摺動範囲にガイド部やラックによる肉厚部がないことを特徴とする請求項１または請求項２に記載の人体局部洗浄装置の洗浄ノズルユニット。
【発明の詳細な説明】
【０００１】
【発明の属する技術分野】
本発明は、人体局部を洗浄する際に使用する人体局部洗浄装置の洗浄ノズルユニットに関する。
【０００２】
【従来の技術】
通常、人体局部洗浄装置の洗浄ノズルユニットは、図３及び図４の様な構成になっていた。
【０００３】
シリンダ８内に流入した洗浄水の圧力でノズルロッド７がバネ９に抗して収納位置から洗浄位置まで伸出する。その際伸出の途中では、シリンダ８とノズルロッド７との間隙（ノズル突出口８ｆ）から洗浄水の一部が洩れる。洗浄位置に達するとシリンダ８とノズルロッド７が当接し洗浄水は噴出口７ｃから人体局部に噴出する。使用者の体格等により洗浄水が人体局部に当たらない場合、洗浄位置を調節する必要があり、洗浄位置を調節するためのモータ１１と、モータ１１の回転を減速する複数の歯車にかみ合うラック８ｃとシリンダ８の移動軌跡を規制するガイド部８ｂをシリンダ８の筒状部に一体成形で設けモータ１１の回転により洗浄位置を調整していた。シリンダの材質は、熱可塑性樹脂であるＰＰ（ポリプロピレン樹脂），ＡＢＳ（アクリロニトリルーブタジエンースチレン共重合体樹脂），ＰＰＥ（ポリフェニレンエーテル樹脂）、ＰＰＯＸ（ポリプロピレンオキシド樹脂）等が使用されている。
【０００４】
【発明が解決しようとする課題】
しかし、ガイド部８ｂをシリンダ側面に設けた場合、シリンダ８の外径がガイド部８ｂを設けない場合に比べて大きくなり小型化に支障があった。また人体局部洗浄装置に使用される洗浄水は、約４０℃の温水であるためシリンダ８の筒状部にラック８ｃを直接設けた場合、洗浄水によりラック８ｃ自体が温められる。シリンダ８は熱可塑性樹脂であるため、温度の上昇で機械的強度が低下するため、ラック８ｃの強度を確保するためにモジュールを大きくする必要があった。またガイド部８ｂ，ラック８ｃによりシリンダの肉厚が他の部分に比較して厚くなり、内径部にひけマークが生じる。このひけマークが生じると、水圧で伸縮するノズルユニットは、シリンダ８に供給される洗浄水の水圧によりノズルロッド７がバネ９に抗して伸出し洗浄水を人体局部に噴出する構成であるため、ひけマークによりノズルロッド７とシリンダ８との間隙が大きくなると間隙（ノズル突出口８ｆ）からの洗浄水の洩れ量が多くなり、シリンダ８内部の水圧がノズルロッド７を洗浄位置まで伸出するために必要な水圧に対して不足してしまう。特にラック８ｃのモジュールを大きくした場合、シリンダ８の肉厚は、厚くなりひけマークも大きく生じ、ノズルロッド７とシリンダ８との間隙からの洗浄水の洩れ量が多くなる。従って、給水源の水圧が高い必要が生じ、低水圧の地域等での使用に支障をきたしてしまう。
【０００５】
本発明は、前記課題に鑑み、シリンタ８の外径を最小限に留め、低水圧地域でも十分に使用可能な人体局部洗浄装置の洗浄ノズルユニットを提供することを目的とする。
【０００６】
【課題を解決するための手段】
上記の目的を達成するため、本発明は以下の課題解決手段を用いるものである。
（１）  給水を行うための給水部と、該給水部に接続される水路開閉弁と、該水路開閉弁と接続される加熱手段と、該加熱手段と接続される洗浄ノズルユニットを内部に備え、前記洗浄ノズルユニットは、洗浄水をシリンダ内部に導入するための導入口を設けた継手と、基端に流入口と、先端に噴出口と、前記流入口と前記噴出口とを連通する水路を設けたノズルロッドをバネにより収納方向に付勢し、かつ前記シリンダ内に進退可能に装着し、前記シリンダを移動するためのモータと、前記モータの回転を減速する複数の歯車を備えた人体局部洗浄装置において、前記シリンダの筒状部から下方向に延伸したリブと、前記リブに垂直に形成された前記ノズルの移動軌跡を規制するガイド部と、前記歯車とかみ合い、前記モータの回転運動を平行運動に変換するラックを該ガイド部に設けたことを特徴とする人体局部洗浄装置の洗浄ノズルユニット。
（２）  リブ、ガイド部、ラックは、シリンダに一体成形で設けたことを特徴とする（１）に記載の人体局部洗浄装置の洗浄ノズルユニット。
（３）  シリンダのノズルロッドの摺動範囲にガイド部やラックによる肉厚部がないことを特徴とする（１）または（２）に記載の人体局部洗浄装置の洗浄ノズルユニット。
【０００７】
【発明の実施の形態】
本発明に用いる水路開閉弁５（図２参照）は水道本管から洗浄ノズルユニット４（図５参照）に至る水経路にあって選択的に開閉するものであれば特に限定されるものではなく、適宜開閉可能な手段を講じることが可能である。具体的には、応答性のよい電磁弁が好ましい。
【０００８】
加熱手段は、常温水を加熱することにより、人体局部洗浄を行うために必要な温水にまで加温できるものであれば特に限定されるものではなく、適宜加熱手段を講じることが可能である。具体的には、図２に示すように、水経路の途中に温水タンク６を設け、該温水タンク６内にて電熱線にて加温することが好ましい。
【０００９】
シリンダの材質は、射出成形できるものであれば特に限定されるものではない。成形性のよい熱可塑性樹脂のＡＢＳ，ＰＰが好ましい。
【００１０】
【実施例】
以下、本発明による人体局部洗浄装置の実施例について、添付図を参照しながら詳細に説明する。
【００１１】
図１は、本発明の洗浄ノズルユニット４を組み込んだ人体局部洗浄装置１であり、該人体局部洗浄装置１には、便座２が回動自在に設けられ、使用者が操作部３を操作することにより、洗浄ノズルユニット４が作動又は停止する。
【００１２】
図５及び図６において洗浄ノズルユニット４は、ノズルロッド７がシリンダ８内に進退可能に装着され、ノズルロッド７はバネ９により常にシリンダ８に収納される方向に付勢され、待機時は、シリンダ８内に収納されている。シリンダ８円筒部から下方向に延伸したリブ８ａに垂直に設けたガイド部８ｂは、ケース１０に設けられた溝部１０ａに摺動可能に装着され、シリンダ８は、溝部１０ａに沿って移動する。ケース１０にはモータ１１が固定され、モータ１１の出力軸に圧入された歯車１４ａと噛み合う歯車１４ｂが回転自在に装着されている。また、歯車１４ｂは、シリンダ８円筒部から下方向に延伸したリブ８ａに垂直に設けたガイド部８ｂに形成したラック８ｃに同時に噛み合う。シリンダ８は、シリンダ８に設けた突起８ｄとケース１０，シリンダ８に設けた段差部８ｅとケース１０に設けたストッパ１０ｂが当接する範囲で移動可能となる。ガイド部８ｂがシリンダ８円筒部から下方向に延伸したリブ８ａに垂直に設けてあるため、ガイド部８ｂの水平方向の幅寸法がシリンダ８外径寸法よりも小さくすることができ、洗浄ノズルユニット４を小型化することができる。
【００１３】
次に動作について説明すると、図１に示すように、  使用者が便座２に着座して用便後、操作部３に設けた洗浄スイッチ(図示せず)を選択する。これにより、図２に示す給水部（図示せず）から水路開閉弁５，温水タンク６を経て図５に示すように継手１２の導入口１２ａからシリンダ８内に洗浄水が供給される。その水圧でノズルロッド７はバネ９の力に抗してシリンダ８内を摺動し、ノズル突出口８ｆから伸出していく。この時洗浄水は、流入口７ａから水路７ｂ通過し噴出口７ｃから一部噴出するが、シリンダ８とノズルロッド７との間隙（ノズル突出口８ｆ）から一部漏れるため、人体局部に到達するまでに至らない。完全に伸出するとシリンダ８の段部８ｇとノズルロッド７の基部７ｄが当接しノズル突出口への給水がなくなるため、供給された洗浄水は全て噴出口７ｃより噴出して人体局部に到達する。即ち人体局部を洗浄する。
【００１４】
図１に示す操作部３に設けたノズル位置調節スイッチ（図示せず）によりノズルの位置を指示することにより制御基板（図示せず）を介して、図５に示すモータ１１が回転駆動され歯車１４ａ，１４ｂを介しラック８ｃが平行移動する。即ちシリンダ８が移動し洗浄位置が移動する。ラック８ｃは、図６に示すようにシリンダ８の円筒部から下方向に延伸したリブ８ａに垂直に設けたガイド部８ｂに形成されるため、洗浄中約４０℃の洗浄水がシリンダ８内を流れても、その熱がラック８ｃに伝達されることがなく、温度上昇による機械的強度が低下することがない。ノズル伸出方向に移動した場合、シリンダ８に設けた段差部８ｅがケース１０に設けたストッパ１０ｂに当接するまで、収納方向に移動した場合、シリンダ８に設けた突起８ｄがケース１０に当接するまで移動する。
【００１５】
【発明の効果】
以上説明した通り、本発明の洗浄ノズルユニットは、ガイド部をシリンダ円筒部から下方向に延伸したリブに垂直に設け、ラックは、ガイド部に形成されるため、ガイド部水平方向寸法をシリンダ外径寸法より小さくすることができ、小型化することができる。またシリンダのノズルロッド摺動範囲に肉厚部がないためひけマークが生じず、シリンダとノズルロッドとの間隙に大きくなる部分が生じず、間隙からの洗浄水の洩れが少なく、ノズルロッドが低水圧でもスムースかつ確実に伸出する。またラックを直接シリンダに設けないためラック部分の温度が洗浄水により上昇しにくく強度低下が生じにくい洗浄ノズルユニットとすることができる。
【図面の簡単な説明】
【図１】人体局部洗浄装置の外観図である。
【図２】人体局部洗浄装置の構成を示す内部配置図である。
【図３】従来使用されてきた洗浄ノズルユニットの部分断面図である。
【図４】図３のＡ−Ａ断面図である。
【図５】本発明の実施例を示す部分断面図である。
【図６】図５のＢ−Ｂ断面図である。
【符号の説明】
１…人体局部洗浄装置、２…便座、３…操作部、４…洗浄ノズルユニット、５…水路開閉弁、６…温水タンク、７…ノズルロッド、７ａ…流入口、７ｂ…水路、７ｃ…噴出口、 ７ｄ…基部、８…シリンダ、８ａ…リブ、８ｂ…ガイド部、８ｃ…ラック、８ｄ…突起、８ｅ…段差部、８ｆ…ノズル突出口、８ｇ…段部、９…バネ、１０…ケース、１０ａ…溝部、１０ｂ…ストッパ、１１…モータ、１２…継手、１２ａ…導入口、１４ａ，1４ｂ…歯車、１４…Ｏリング。
【図１】
0003952231.tif 000002
【図２】
0003952231.tif 000003
【図３】
0003952231.tif 000004
【図４】
0003952231.tif 000005
【図５】
0003952231.tif 000006
【図６】
0003952231.tif 000007